(57)【要約】【課題】同一の複合窓枠で複層ガラスにも単層ガラスにも使用可能な複合窓枠を提供する。【解決手段】窓開口に固定した金属枠の屋内側を合成樹脂製の樹脂枠で覆って構成された枠内にパネルを保持する複合窓枠の下部構造において、前記樹脂枠の樹脂下枠よりも屋外側に、複層パネルを嵌合可能な見込方向の幅を有する嵌合溝を前記金属枠の下枠に形成し、この嵌合溝の屋内側には、前記嵌合溝に嵌合した単層パネルを固定する固定部材又は前記複層パネルを固定する固定部材を着脱可能とするとともに、前記各固定部材には、前記単層パネル又は複層パネルを屋外側に押圧固定する押圧部を突出形成し、前記単層パネルを固定する固定部材の押圧部の突出度合いを、前記複層パネルを固定する固定部材の押圧部の突出度合いよりも大きくした。【選択図】図２
2011214312.tif 000002
【特許請求の範囲】
【請求項１】
窓開口に固定した金属枠の屋内側を合成樹脂製の樹脂枠で覆って構成された枠内にパネルを保持する複合窓枠の下部構造であって、
前記樹脂枠の樹脂下枠よりも屋外側に、複層パネルを嵌合可能な見込方向の幅を有する嵌合溝を前記金属枠の下枠に形成し、この嵌合溝の屋内側には、前記嵌合溝に嵌合した単層パネルを固定する固定部材又は前記複層パネルを固定する固定部材を着脱可能とするとともに、
前記各固定部材には、前記単層パネル又は複層パネルを屋外側に押圧固定する押圧部を突出形成し、前記単層パネルを固定する固定部材の押圧部の突出度合いを、前記複層パネルを固定する固定部材の押圧部の突出度合いよりも大きくしたことを特徴とする、複合窓枠の下部構造。
【請求項２】
前記固定部材及び前記樹脂下枠は、前記金属枠の下枠に嵌合固定されていることを特徴とする、請求項１記載の複合窓枠の下部構造。
【請求項３】
前記樹脂下枠には、前記固定部材の屋内側の面に当接して支持する当接部が設けられていることを特徴とする、請求項１又は２記載の複合窓枠の下部構造。
【請求項４】
前記当接部は、前記樹脂下枠の上部に設けられるとともに、前記当接部の下方には前記固定部材の下端部が揺動可能な空隙部が設けられていることを特徴とする、請求項３に記載の複合窓枠の下部構造。
【請求項５】
前記固定部材の上面と、前記樹脂下枠の上面とが、略面一に形成されていることを特徴とする、請求項１〜４のいずれかに記載の複合窓枠の下部構造。
【請求項６】
前記樹脂下枠の上面に排水用の凹部が設けられていることを特徴とする、請求項１〜５のいずれかに記載の複合窓枠の下部構造。
【請求項７】
請求項１〜６のいずれかに記載の下部構造を有し、複合窓枠の上枠及び両側の縦枠においても、前記固定部材と同じ形状の固定部材で前記パネルを支持したことを特徴とする、複合窓枠。
【発明の詳細な説明】
【技術分野】
【０００１】
この発明は、窓開口に固定した金属枠の屋内側を合成樹脂製の樹脂枠で覆って構成された枠内にパネルを保持する複合窓枠の下部構造、及びこの下部構造を備える複合窓枠に関するものである。
【背景技術】
【０００２】
従来、窓枠として、窓開口に固定した金属枠の屋内側を合成樹脂製の樹脂枠で覆って構成された枠内にパネルを保持する複合窓枠が存在する。こうした複合窓枠を使用すれば、金属枠よりも熱伝導率の低い樹脂枠が屋内側に設けられているため、断熱性が向上できるとともに、屋内側への結露を防止することができる。また、こうした複合窓枠を使用すれば、屋内側に樹脂が露出するため、金属枠特有の視覚的冷たさを排除し、温かみのある意匠の窓枠を提供することができる。
【０００３】
なお、こうした複合窓枠においては、高い断熱性と結露防止効果を得るために、複層ガラスが用いられることが一般的であった（例えば、特許文献１）。
【先行技術文献】
【特許文献】
【０００４】
【特許文献１】特開２０００−３２０２５０号公報
【発明の概要】
【発明が解決しようとする課題】
【０００５】
しかし、上記したような複合窓枠の温かみのある意匠性は広く求められているため、断熱性能が求められない場合であっても複合窓枠を使用したい場合がある。しかしながら、上記したように、従来の複合窓枠では基本的に複層ガラスが用いられるため、断熱性能が求められない場合であっても複層ガラスを用いた複合窓枠を使用するしかなく、単層ガラスを使用した場合と比較して施工コストが高くなってしまうという問題があった。
【０００６】
こうした問題の解決策としては、単層ガラス用の複合窓枠を提供することが考えられる。しかしながら、単層ガラス用の複合窓枠を提供することとした場合、多用される複層ガラス用の複合窓枠とは別に複合窓枠を製造しなければならず、製造コストが高くなってしまうという問題があった。
【０００７】
そこで、本発明は、同一の複合窓枠で複層ガラスにも単層ガラスにも使用可能な複合窓枠を提供することを課題とする。
【課題を解決するための手段】
【０００８】
本発明は、上記した課題を解決するためになされたものであり、以下を特徴とする。
【０００９】
（請求項１）
請求項１に記載の発明は、以下の点を特徴とする。
【００１０】
すなわち、請求項１に記載の複合窓枠の下部構造は、窓開口に固定した金属枠の屋内側を合成樹脂製の樹脂枠で覆って構成された枠内にパネルを保持する複合窓枠の下部構造であって、前記樹脂枠の樹脂下枠よりも屋外側に、複層パネルを嵌合可能な見込方向の幅を有する嵌合溝を前記金属枠の下枠に形成し、この嵌合溝の屋内側には、前記嵌合溝に嵌合した単層パネルを固定する固定部材又は前記複層パネルを固定する固定部材を着脱可能とするとともに、前記各固定部材には、前記単層パネル又は複層パネルを屋外側に押圧固定する押圧部を突出形成し、前記単層パネルを固定する固定部材の押圧部の突出度合いを、前記複層パネルを固定する固定部材の押圧部の突出度合いよりも大きくしたことを特徴とする。
【００１１】
（請求項２）
請求項２に記載の発明は、上記した請求項１記載の発明の特徴点に加え、以下の点を特徴とする。
【００１２】
すなわち、前記固定部材及び前記樹脂下枠は、前記金属枠の下枠に嵌合固定されていることを特徴とする。
【００１３】
（請求項３）
請求項３に記載の発明は、上記した請求項１又は２に記載の発明の特徴点に加え、以下の点を特徴とする。
【００１４】
すなわち、前記樹脂下枠には、前記固定部材の屋内側の面に当接して支持する当接部が設けられていることを特徴とする。
【００１５】
（請求項４）
請求項４に記載の発明は、上記した請求項３に記載の発明の特徴点に加え、以下の点を特徴とする。
【００１６】
すなわち、前記当接部は、前記樹脂下枠の上部に設けられるとともに、前記当接部の下方には前記固定部材の下端部が揺動可能な空隙部が設けられていることを特徴とする。
【００１７】
（請求項５）
請求項５に記載の発明は、上記した請求項１〜４のいずれかに記載の発明の特徴点に加え、以下の点を特徴とする。
【００１８】
すなわち、前記固定部材の上面と、前記樹脂下枠の上面とが、略面一に形成されていることを特徴とする。
【００１９】
（請求項６）
請求項６に記載の発明は、上記した請求項１〜５のいずれかに記載の発明の特徴点に加え、以下の点を特徴とする。
【００２０】
すなわち、前記樹脂下枠の上面に排水用の凹部が設けられていることを特徴とする。
【００２１】
（請求項７）
請求項７に記載の複合窓枠は、上記した請求項１〜６のいずれかに記載の下部構造を有し、複合窓枠の上枠及び両側の縦枠においても、前記固定部材と同じ形状の固定部材で前記パネルを支持したことを特徴とする。
【発明の効果】
【００２２】
請求項１に記載の発明は上記の通りであり、前記樹脂枠の樹脂下枠よりも屋外側に、複層パネルを嵌合可能な大きさの嵌合溝を形成し、この嵌合溝の屋内側には、前記嵌合溝に嵌合した単層パネルを固定する固定部材又は前記複層パネルを固定する固定部材を着脱可能とするとともに、前記各固定部材には、前記単層パネル又は複層パネルを屋外側に押圧固定する押圧部を突出形成し、前記単層パネルを固定する固定部材の押圧部の突出度合いを、前記複層パネルを固定する固定部材の押圧部の突出度合いよりも大きく形成した。このため、固定部材を変更するだけで、金属枠及び樹脂枠を変更することなく、厚さの異なるパネル（単層パネル、複層パネル）を取り付けることができるから、厚さの異なるパネルごとに複合窓枠を設ける必要がなく、同一の複合窓枠で複層パネルにも単層パネルにも使用可能な複合窓枠を提供することができる。すなわち、部材を兼用することで製造コストを低減できるとともに、単層パネルを使用する場合は、意匠性の良い複合窓枠を低コストで施工できる。
【００２３】
更には、固定部材を変更するだけで、施工時や施工後に単層パネルを使用するか複層パネルを使用するかを選択することができるため、例えば、当初は単層パネルを使用することとした場合でも、その後に断熱性能が要求されるようになった場合には、固定部材を変更して複層パネルを使用するように変更することもできる。
【００２４】
また、請求項２に記載の発明は上記の通りであり、固定部材と樹脂下枠とが金属枠の下枠に嵌合固定されているため、これらが金属製の枠体にしっかりと固定されており、枠体の強度を保つことができる。
【００２５】
また、請求項３に記載の発明は上記の通りであり、樹脂下枠には固定部材の屋内側の面に当接して支持する当接部が設けられているため、この当接部で固定部材の屋内側への転びを防止することができ、固定部材がパネルを確実に支持できるものとなっている。更には、金属枠が露出しないため、意匠性も良くすることができる。
【００２６】
また、請求項４に記載の発明は上記の通りであり、当接部が樹脂下枠の上部に設けられるとともに、当接部の下方には固定部材の下端部が揺動可能な空隙部が設けられているため、固定部材を揺動させて取り外ししやすくなっている。このため、固定部材を容易に交換することができ、使用するパネルの種類（単層パネル、複層パネル）の変更が容易なものとなっている。
【００２７】
また、請求項５に記載の発明は上記の通りであり、固定部材の上面と樹脂下枠の上面とが略面一に形成されているため、窓枠下部において高さ方向に出っ張りがなく、採光に有利であるとともに、意匠性の良い窓枠を提供できる。
【００２８】
また、請求項６に記載の発明は上記の通りであり、樹脂下枠の上面に排水用の凹部が設けられているため、結露等によりガラスに生じた水滴などを排水できる。
【００２９】
また、請求項７に記載の発明は上記の通りであり、複合窓枠の上枠及び両側の縦枠においても、前記固定部材と同じ形状の固定部材でパネルを支持したため、部材を共通化することができ、製造コストを低減することができる。
【図面の簡単な説明】
【００３０】
【図１】本発明の実施の形態であって、複層ガラス使用時における複合窓枠の縦断面図である。
【図２】本発明の実施の形態であって、図１の複合窓枠の下部構造の部分拡大図である。
【図３】本発明の実施の形態であって、複層ガラス使用時における複合窓枠の横断面図である。
【図４】本発明の実施の形態であって、単層ガラス使用時における複合窓枠の縦断面図である。
【図５】本発明の実施の形態であって、図４の複合窓枠の下部構造の部分拡大図である。
【図６】本発明の実施の形態であって、単層ガラス使用時における複合窓枠の横断面図である。
【図７】本発明の実施の形態であって、固定部材を取り外す様子を示す説明図である。
【発明を実施するための形態】
【００３１】
以下、本発明の実施形態について、図を参照しながら説明する。
【００３２】
（複合窓枠の概要）
本実施例に係る複合窓枠は、図１〜６に示すように、建物外壁に形成された窓開口に納められる複合窓枠であり、方形に枠組みされた窓枠内にパネルを保持した嵌め殺しの窓である。窓枠を構成する各枠材は、複合型の枠材であり、ベースとなる金属枠１０とその屋内側露出部分を覆う樹脂枠２０とから構成されている。この金属枠１０は、金属上枠１６、金属下枠１１及び左右の金属縦枠１７で構成され、隣接する枠を相互にねじで締結して構成されている。また樹脂枠２０は、樹脂上枠２９、樹脂下枠２１及び左右の樹脂縦枠３０とで構成されており、樹脂上枠２９は金属上枠１６に、樹脂下枠２１は金属下枠１１に、樹脂縦枠３０は金属縦枠１７にそれぞれ取付けられている。
【００３３】
金属枠１０はアルミの押し出し型材にて成型され、また樹脂枠２０及び後述する固定部材４０ａ，４０ｂは、合成樹脂から押し出し成型される。
【００３４】
本実施形態に係る複合窓枠は、このように樹脂枠２０にて金属枠１０の屋内側露出部分を覆うことにより、金属による冷たい印象を隠すとともに、熱伝導率の低い樹脂によって断熱効果を向上させている。
【００３５】
本実施例においては、パネルとしてガラスを使用することとし、すなわち、単層パネルとして単層ガラス３１ａを、複層パネルとして複層ガラス３１ｂを用いることとして説明する。なお、本発明の実施形態としては、ガラスを使用する場合に限るものではなく、パネルとしてガラス以外を使用することとしても良い。
【００３６】
そして、本実施例に係る複合窓枠は、図１に示すように、樹脂下枠２１よりも屋外側において、金属下枠１１に嵌合溝１８が形成され、この嵌合溝１８は、複層ガラス３１ｂを嵌合可能な見込方向の幅を有するように形成されている。そして、この嵌合溝１８の屋内側には、嵌合溝１８に嵌合した単層ガラス３１ａを固定する単層ガラス用固定部材４０ａ又は複層ガラス３１ｂを固定する複層ガラス用固定部材４０ｂが金属下枠１１に着脱可能となっている。すなわち、後述するように、単層ガラス用固定部材４０ａと複層ガラス用固定部材４０ｂとのうちから選択した任意の固定部材を使用可能に形成されていることにより、固定部材を変更するだけで、金属枠１０及び樹脂枠２０を変更することなく、厚さの異なるガラスを支持可能に形成されている。
【００３７】
（複層ガラス３１ｂ使用時）
以下、まずは複層ガラス３１ｂを使用した場合について、図１〜３を参照しつつ説明する。
【００３８】
複層ガラス３１ｂ使用時においては、図１に示すように、嵌合溝１８に複層ガラス３１ｂが嵌合されて保持されている。この複層ガラス用固定部材４０ｂは、屋内側からは、樹脂下枠２１と複層ガラス３１ｂとの間に設けられた複層ガラス用固定部材４０ｂによって緩衝部材５０を介して支持されており、屋外側からは、金属下枠１１に設けられた屋外当接部１９によって緩衝部材５０を介して支持されている。
【００３９】
図２は、図１の複合窓枠の下部構造の部分拡大図である。この図２が示すように、金属下枠１１の屋内側には、窓側に立設する窓側突出縁１２と、屋内側に立設する屋内側突出縁１３と、この窓側突出縁１２と屋内側突出縁１３との間に立設する中央立設部１４と、が上方に向けて立設しており、これらが立設することにより、嵌合溝１８よりも屋内側に２つの溝が形成されている。そして、窓側突出縁１２と中央立設部１４とで形成された溝には、複層ガラス用固定部材４０ｂが嵌め込まれ、中央立設部１４と屋内側突出縁１３とで形成された溝には、樹脂下枠２１が嵌め込まれている。
【００４０】
（樹脂下枠２１）
樹脂下枠２１は、図２に示すように、上面を露出させて金属下枠１１に嵌合固定されるものである。詳しくは、長手方向全長に渡って、屋外側に第１脚部２２が形成されるとともに、屋内側に第２脚部２３が形成されており、この２つの脚部２２、２３が、金属下枠１１の中央立設部１４と屋内側突出縁１３との間に嵌め込まれることにより、金属下枠１１に嵌合固定されている。
【００４１】
この樹脂下枠２１の上面延長線上の屋外側の端部は、屋外側へと突出して当接部２４を形成している。この当接部２４は、後述する複層ガラス用固定部材４０ｂ（もしくは単層ガラス用固定部材４０ａ）の屋内側壁面に当接して、この複層ガラス用固定部材４０ｂ（もしくは単層ガラス用固定部材４０ａ）を支持するためのものである。
【００４２】
また、樹脂下枠２１の上面には、図３に示すように、結露等によりガラスに生じた水滴などを排水するための凹部２６が長手方向両側に２箇所設けられている。図２及び図３に示すように、この凹部２６の中央には排水孔２７が設けられ、この排水孔２７の周囲を覆うように排水孔カバー２８が設けられている。これにより、排水用の凹部２６に集められた水滴が排水孔２７を通って樹脂下枠２１の下に排水され、更に外部へと排水されるようになっている。詳しくは、図示しない排水用の穴が、樹脂下枠２１においては排水孔２７の下の位置に設けられるとともに、金属下枠１１においては空隙部２５の下の位置に設けられており、この穴を通って外部に排水されるようになっている。
【００４３】
（複層ガラス用固定部材４０ｂ）
複層ガラス用固定部材４０ｂは、樹脂下枠２１と複層ガラス３１ｂとの間に設けられて、複層ガラス３１ｂを支持するためのものである。すなわち、図２に示すように、複層ガラス用固定部材４０ｂは、金属下枠１１の窓側突出縁１２の屋内側に沿うように固定される本体部４１と、この本体部４１の上部において複層ガラス３１ｂ側に所定の突出度合で突出した押圧部４２と、本体部４１の下方に設けられた脚部４４と、を備えている。
【００４４】
この複層ガラス用固定部材４０ｂは、図２に示すように、前記樹脂下枠２１の上面及び前記金属下枠１１の屋外当接部１９の上面と略面一となるように設けられた上面を露出させて、金属下枠１１に嵌合固定されるものである。詳しくは、上部においては、押圧部４２の基部下方に設けられた係合溝４３に窓側突出縁１２の上端が係合し、下方においては、脚部４４が金属下枠１１の窓側突出縁１２と中央立設部１４との間に嵌め込まれるようになっており、これにより、複層ガラス用固定部材４０ｂが固定されている。
【００４５】
また、押圧部４２は、図２に示すように、複層ガラス３１ｂ側に略水平に突出した部分であり、この突出の先端側には図２に示すように緩衝部材５０が設けられており、この緩衝部材５０を介して複層ガラス３１ｂを支持している。この緩衝部材５０を取り付ける押圧部４２の先端は、図２に示すように、先端側が下段となるように段差が設けられており、この段差部分に緩衝部材５０を取り付けるようになっている。このように、緩衝部材５０を取り付ける部分が低くなっているため、緩衝部材５０を取り付けた場合でも、この緩衝部材５０の上面を含め、複層ガラス用固定部材４０ｂの上面、前記樹脂下枠２１の上面、及び、前記金属下枠１１の屋外当接部１９の上面が、すべて略面一となるように形成されている。
【００４６】
なお、この複層ガラス用固定部材４０ｂは、図１及び図３に示すように、複合窓枠の上枠及び両側の縦枠においても同じ断面形状のものが使用されている。すなわち、金属上枠１６及び両側の金属縦枠１７にも、それぞれ複層ガラス用固定部材４０ｂが嵌合固定されており、これらの複層ガラス用固定部材４０ｂも、押圧部４２の先端側に設けられた緩衝部材５０を介して複層ガラス３１ｂを支持するようになっている。
【００４７】
（単層ガラス３１ａ使用時）
次に、単層ガラス３１ａを使用した場合について、図４〜６を参照しつつ説明する。
【００４８】
単層ガラス３１ａ使用時においては、図４に示すように、嵌合溝１８に単層ガラス３１ａが嵌合されて保持されている。この単層ガラス用固定部材４０ａは、屋内側からは、樹脂下枠２１と複層ガラス３１ｂとの間に設けられた単層ガラス用固定部材４０ａによって緩衝部材５０を介して支持されており、屋外側からは、金属下枠１１によって緩衝部材５０を介して支持されている。この緩衝部材５０を取り付ける押圧部４２の先端は、図５に示すように、先端側が下段となるように段差が設けられており、この段差部分に緩衝部材５０を取り付けるようになっている。このように、緩衝部材５０を取り付ける部分が低くなっているため、緩衝部材５０を取り付けた場合でも、この緩衝部材５０の上面を含め、単層ガラス用固定部材４０ａの上面、前記樹脂下枠２１の上面、及び、前記金属下枠１１の屋外当接部１９の上面が、すべて略面一となるように形成されている。
【００４９】
このように、単層ガラス３１ａ使用時においても、複層ガラス３１ｂ使用時と同様に、固定部材によりパネルを支持しており、また、金属枠１０及び樹脂枠２０も同じものを使用している。一方、複層ガラス３１ｂ使用時とは異なり、窓枠の内部に保持される単層ガラス３１ａを単層ガラス用固定部材４０ａで支持している。すなわち、本実施形態に係る複合窓枠においては、固定部材４０ａ、４０ｂを変更するだけで、金属枠１０及び樹脂枠２０を変更することなく、単層ガラス３１ａにも複層ガラス３１ｂにも対応できるようになっている。
【００５０】
ここで、単層ガラス用固定部材４０ａと複層ガラス用固定部材４０ｂとの違いは、押圧部４２の突出度合である。すなわち、図２と図５とを比較しても明らかなように、単層ガラス用固定部材４０ａは、複層ガラス用固定部材４０ｂと比較して押圧部４２の突出度合が大きく形成されている。これにより、単層ガラス３１ａが使用されることにより発生する厚さ方向の間隙を埋めた上で、単層ガラス３１ａを支持できるように形成されている。すなわち、この単層ガラス用固定部材４０ａの押圧部４２も、図５に示すように、単層ガラス３１ａ側に略水平に突出しており、この突出の先端側に設けられた緩衝部材５０を介して単層ガラス３１ａを支持している。
【００５１】
なお、この単層ガラス用固定部材４０ａは、図４及び図６に示すように、複合窓枠の上枠及び両側の縦枠においても同様の断面形状のものが使用されている。すなわち、金属上枠１６及び両側の金属縦枠１７にも、それぞれ単層ガラス用固定部材４０ａが嵌合固定されており、これらの単層ガラス用固定部材４０ａも、押圧部４２の先端側に設けられた緩衝部材５０を介して単層ガラス３１ａを支持するようになっている。
【００５２】
また、この単層ガラス用固定部材４０ａの押圧部４２は、図５に示すように複層ガラス用固定部材４０ｂの押圧部４２と比較して肉厚となっている。これにより、単層ガラス用固定部材４０ａの押圧部４２は、複層ガラス用固定部材４０ｂの押圧部４２と比較して突出度合いが大きいために負荷が大きいにもかかわらず、強度が保てるように形成されている。また、この単層ガラス用固定部材４０ａの押圧部４２は、内部が中空となっており、強度を保ちつつも低コストで製造できるものとなっている。
【００５３】
（使用ガラスの変更方法）
次に、使用ガラスの変更方法について説明する。ここでは仮に、複層ガラス３１ｂから単層ガラス３１ａに変更する手順について説明する。
【００５４】
使用ガラスを変更する場合には、まず、枠組み四方の押圧部４２の先端側に設けられた緩衝部材５０を取り外す。
【００５５】
次に、枠組み四方の複層ガラス用固定部材４０ｂを取り外す。このとき、図７に示すように、金属下枠１１には、複層ガラス用固定部材４０ｂの下端部が揺動可能な空隙部２５として使用可能な溝が設けられており、この空隙部２５は、複層ガラス用固定部材４０ｂの当接部２４の下方に設けられている。すなわち、複層ガラス用固定部材４０ｂは、金属下枠１１に嵌合固定されているときには、図２に示すように、脚部４４が、金属下枠１１の中央立設部１４から水平方向に突出する突出片１５に係止され、揺動できないようになっているが、図７（ａ）に示すように、上方に持ち上げることにより、この突出片１５による係止が解除され、図７（ｂ）に示すように、空隙部２５内を前後方向に揺動可能となっている。そして、複層ガラス用固定部材４０ｂを揺動させて斜めにすることにより、金属下枠１１から取り外すことができるようになっている。
【００５６】
そして、複層ガラス用固定部材４０ｂを取り外した後、複層ガラス３１ｂを単層ガラス３１ａに交換する。このとき、図５に示すように、単層ガラス３１ａはセッティングブロック５１上に載置する。そして、単層ガラス用固定部材４０ａを金属下枠１１に嵌合固定し、単層ガラス用固定部材４０ａ先端の緩衝部材５０を単層ガラス３１ａに当接させる。これにより、単層ガラス３１ａを屋外側の緩衝部材５０側に押し付けて狭持する。
【００５７】
以上により、複層ガラス３１ｂから単層ガラス３１ａに変更することができる。なお、上記した手順は、複層ガラス３１ｂから単層ガラス３１ａに変更する場合に限らず、単層ガラス３１ａから複層ガラス３１ｂに変更する場合でも、同様である。
【００５８】
このように、本実施形態に係る複合窓枠は、固定部材４０ａ、４０ｂを変更するだけで、単層ガラス３１ａにも複層ガラス３１ｂにも対応できる。例えば、当初は単層ガラス３１ａを使用することとした場合でも、その後に断熱性能が要求されるようになった場合には、固定部材を単層ガラス用固定部材４０ａから複層ガラス用固定部材４０ｂに変更して、複層ガラス３１ｂを使用するように変更することもできる。
【００５９】
しかも、固定部材４０ａ、４０ｂの脚部４４が揺動可能な空隙部２５が設けられているため、固定部材４０ａ、４０ｂを揺動させて取り外ししやすくなっており、上記したような固定部材４０ａ、４０ｂ及びパネル３１ａ、３１ｂの変更が容易な構造となっている。
【００６０】
なお、図２及び図５に示すように、固定部材４０ａ、４０ｂは、樹脂下枠２１と間隔を空けて配置されており、このように間隔を空けて配置されていることにより、固定部材４０ａ、４０ｂを交換する際に固定部材４０ａ、４０ｂを上下に移動するための空間が形成されている。しかも、このように空間が形成されていることにより、固定部材４０ａ、４０ｂと樹脂下枠２１との間に空気層ができるため、断熱性能を向上させることができるようにもなっている。
【００６１】
ところで、上記した説明においては、最初に緩衝部材５０を取り外すこととしたが、これに限らない。例えば、最初に樹脂下枠２１を取り外すこととし、この後に緩衝部材５０を取り外すこととしても良い。
【００６２】
（まとめ）
上記したように、本実施形態に係る複合窓枠は、単層ガラス用固定部材４１ａと複層ガラス用固定部材４１ｂとのうちから選択した任意の固定部材を使用可能であり、単層ガラス用固定部材４１ａは、複層ガラス用固定部材４１ｂと比較して押圧部４２の突出度合を大きく形成している。このため、固定部材を変更するだけで、金属枠１０及び樹脂枠２０を変更することなく、単層ガラス３１ａであっても複層ガラス３１ｂであっても支持可能となっている。よって、部材を兼用でき、製造コストを低減できるとともに、断熱性能が求められない場合には単層ガラス３１ａを使用することで意匠性の良い複合窓枠を低コストで施工できる。
【００６３】
また、固定部材３１ａ、３１ｂと樹脂下枠２１とが金属下枠１１に嵌合固定されているため、しっかりと固定されており、枠体の強度を保つことができる。しかも、樹脂下枠２１には固定部材３１ａ、３１ｂを支持する当接部２４が設けられているため、この当接部２４で固定部材３１ａ、３１ｂの転びを防止することができるようになっている。すなわち、図２及び図５に示すように、固定部材３１ａ、３１ｂは金属下枠１１に嵌合固定されているのみならず、樹脂下枠２１の当接部２４でも支持されているため、パネル３１ａ、３１ｂを確実に支持できるものとなっている。更には、図２及び図５に示すように、金属下枠１１を樹脂下枠２１と固定部材３１ａ、３１ｂとで覆うことになるため、金属枠１０が露出せず、意匠性が良い窓枠となっている。
【００６４】
また、固定部材３１ａ、３１ｂの上面が、樹脂下枠２１の上面及び金属下枠１１の屋外当接部１９の上面と略面一に形成されているため、窓枠下部において高さ方向に出っ張りがないようになっており、採光に有利であるとともに、意匠性の良い窓枠となっている。
【００６５】
また、樹脂下枠２１の上面に排水用の凹部２６が設けられているため、結露等によりガラスに生じた水滴などを排水することができる。
【００６６】
また、四方の窓枠で同じ形状の固定部材４０ａ、４０ｂを使用することとしたため、部材を共通化することができ、製造コストを低減することができるようになっている。
【００６７】
また、本実施形態に係る固定部材４０ａ，４０ｂは合成樹脂製であるため、押圧部４２がパネル３１ａ、３１ｂを弾性的に押圧して固定することができるようになっており、安全かつ強固にパネル３１ａ、３１ｂを固定できるようになっている。
【００６８】
なお、本実施形態においては、固定部材として単層ガラス用固定部材４０ａと複層ガラス用固定部材４０ｂとの２つを使用可能としたが、これに限らない。すなわち、これ以外の固定部材を設けてもよく、各固定部材における押圧部４２の突出度合いのバリエーションを増やせば、本実施形態以外の厚みのパネルであっても支持可能とすることができる。
【００６９】
また、本実施形態においては、固定部材として単層ガラス用固定部材４０ａと複層ガラス用固定部材４０ｂとを別に設けることとしたが、これに限らない。すなわち、単層ガラス用固定部材４０ａの押圧部４２の一部を切り落としたりすることで、単層ガラス用固定部材４０ａを複層ガラス用固定部材４０ｂとしても使用できるように形成しても良い。例えば、単層ガラス用固定部材４０ａの押圧部４２の中途部分に切り取り溝を設け、この切り取り溝で押圧部４２の一部を切り離すことにより、押圧部４２の突出度合いを小さくできるようにし、単層ガラス用固定部材４０ａを複層ガラス用固定部材４０ｂとして使用できるように形成しても良い。なお、この場合においても、切り取り溝を２以上設けることにより、押圧部４２の突出度合いのバリエーションを増やすこととしても良い。
【００７０】
また、本実施形態においては、固定部材４０ａ，４０ｂが緩衝部材５０を介してパネルを支持することとしたが、これに限らない。すなわち、本実施例に係る固定部材４０ａ，４０ｂに、緩衝部材５０を一体的に形成したものを使用することとしても良い。この場合、パネル体と接する部分（緩衝部材５０に相当する部分）を軟質材料で形成し、金属下枠１１に嵌合する部分（本実施例に係る固定部材４０ａ，４０ｂに相当する部分）を硬質材料で形成することとすれば、パネルを安全かつ強固に支持することができる。
【符号の説明】
【００７１】
１０  金属枠
１１  金属下枠
１２  窓側突出縁
１３  屋内側突出縁
１４  中央立設部
１５  突出片
１６  金属上枠
１７  金属縦枠
１８  嵌合溝
１９  屋外当接部
２０  樹脂枠
２１  樹脂下枠
２２  第１脚部
２３  第２脚部
２４  当接部
２５  空隙部
２６  凹部
２７  排水孔
２８  排水孔カバー
２９  樹脂上枠
３０  樹脂縦枠
３１ａ  単層ガラス（単層パネル）
３１ｂ  複層ガラス（複層パネル）
４０ａ  単層ガラス用固定部材
４０ｂ  複層ガラス用固定部材
４１  本体部
４２  押圧部
４３  係合溝
４４  脚部
５０  緩衝部材
５１  セッティングブロック
【図１】
2011214312.tif 000003
【図２】
2011214312.tif 000004
【図３】
2011214312.tif 000005
【図４】
2011214312.tif 000006
【図５】
2011214312.tif 000007
【図６】
2011214312.tif 000008
【図７】
2011214312.tif 000009